(57)【要約】【課題】  孫の手、肩叩き、薬剤の塗布の機能を高齢者でも容易に使い分けできるようにした多機能掻痒解消具を提供する。【解決手段】  所要長さの棒状体１の一端１ａに、略球状体の一方の棒状体軸心と略平行する略平坦面に切り落とした面に多数の突起を形成した掻痒部３と、上記略球状体の他方を棒状体軸心と略平行する略平坦面に切り落とした面に浅いリング状の凹部４又は複数の凹部を設けて滑らかな凹凸を形成した薬剤塗布部５とを設けるとともに、上記棒状体の他端１ｂに、一端が肩叩き用として供される略半球状、他端が略平面状である円柱体６を装着し、更に平面状部には薬剤等を付着又は浸透させた綿布１０を着脱自在にリング体１１にて装着する。【選択図】  図１
2006101989.tif 000002
【特許請求の範囲】
【請求項１】
所要長さの棒状体の一端に、略球状体の一方を棒状体軸心と略平行する略平坦面に切り落とした面に多数の突起を形成した掻痒部と、上記略球状体の他方を棒状体軸心と略平行する略平坦面に切り落とした面に浅いリング状の凹部又は複数の凹部を設けて滑らかな凹凸を形成した薬剤塗布部とを設けるとともに、上記棒状体の他端に、一端が略半球状で他端が略平面状である円柱体を着脱自在に取り付けることを特徴とする多機能掻痒解消具。
【請求項２】
上記棒状体の他端を、上記円柱体の胴部に設けられた嵌合凹部に嵌合せしめるとともに、上記円柱体の胴部を上記棒状体の他端部に固着したベルトにより抱持することにより該円柱体を該棒状体に着脱自在に取り付けることを特徴とする請求項１記載の多機能掻痒解消具。
【請求項３】
上記円柱体の略平面状である部分に薬剤等を付着又は浸透させた綿布を着脱自在にリング体にて装着することを特徴とする請求項１又は２に記載の多機能掻痒解消具。
【請求項４】
所要長さの棒状体の一端を、一端が略半球状で他端が略平面状である円柱体を該円柱体の胴部に設けられた嵌合凹部に嵌合せしめ、上記円柱体の胴部を上記棒状体に固着したベルトにより抱持することにより該円柱体を該棒状体に着脱自在に取り付けるとともに、上記円柱体の略平面状である部分に薬剤等を付着又は浸透させた綿布を着脱自在にリング体にて装着することを特徴とする多機能掻痒解消具。
【請求項５】
上記ベルトの上記棒状体への固着を上記棒状体端部の空隙部に挿嵌した押え板にビス止めすることにより為したことを特徴とする請求項２又は４に記載の多機能掻痒解消具。
【請求項６】
上記ベルトがフック状とパイル状との２枚を噛み合わせる布製のテープである請求項２、４又は５に記載の多機能掻痒解消具。
【発明の詳細な説明】
【技術分野】
【０００１】
本発明は、手が届かない部位を掻く機能、肩を叩く機能、手が届かない部位に薬剤等を塗布する機能等を任意に用いることができる多機能掻痒解消具に関するものである。
【背景技術】
【０００２】
手が届かない背中などを掻く用具として、通称孫の手と称されるものが古くから用いられている。また、自分で自らの肩を叩く用具として、棒の先にボール状の重りを形成した肩叩きが知られている。更に、これらの用具を棒の両端に設けて孫の手と肩叩きとを１つの用具で使い分けできるようにしたものも知られている。
【０００３】
また、孫の手を形成する棒の他端に塗り薬が押出可能に収容されたキャップ付のケースを着脱自在に保持するものが知られている（例えば、特許文献１参照）。
【０００４】
また、背中など手の届かない部位に薬剤を塗布するための機能を孫の手に設けたものが知られている（例えば、特許文献２参照）。ここで開示されている孫の手は、鋳造によって丸い形の平らな手の先に爪に該当する部分を設けた形状を形成し、手の平に該当する部分に磁石を取り付け、手の甲に該当する部分に薬剤を収める凹状の皿を設け、この手となる部分に柄手となる棒を接合している。この構成により、手の爪とする部分で痒い所を掻く孫の手の機能に加えて、磁石の磁気によって血行を促進する機能、凹状の皿に薬剤を載せて手が届かない部位に薬剤を塗布する機能、鋳鉄により形成して重くなっている手の部分で肩をほぐす肩叩きの機能が得られるとしている。
【特許文献１】特開平９−２２５０３８号公報（第２頁、図１）
【特許文献２】登録実用新案第３０６０６４３号公報（第２頁、図１）
【発明の開示】
【発明が解決しようとする課題】
【０００５】
しかしながら、上記特許文献１に開示の従来技術は、肩叩きや、孫の手としての機能を有し手の届かない患部にも自分で薬を塗ることができるようにしたものであるが、薬を収容するケース内には常に塗り薬が入っており、肩叩き時における薬の漏出など肩叩き機能と併用するには都合の悪いことがあった。
【０００６】
更に又、上記特許文献２に開示の従来技術は、鋳鉄により重く形成しているものの平らな手の形では肩叩きとしての機能は得難い課題があり、鋳鉄などの金属製のものでは肌に触れたときの感触が冷たく不快感を与えるため、孫の手や薬剤塗布に用いるのに適したものとは言えない問題がある。
【０００７】
孫の手は一般には竹製で、一端に手の形を模した形状の掻き手が形成されている。しかし、上記従来技術として示した鋳鉄製のものを含めて皮膚を掻く爪先となる部分の形状に配慮がなされたものはなく、高齢者や皮膚の弱い人、湿疹、発疹などの異常がある人の場合には、皮膚を傷めやすく、目が届かない部位を掻くために掻き傷を生じさせたことに気づき難い課題があった。
【０００８】
また、孫の手に薬剤を塗布する機能を併せ持たせた上記従来技術では、薬剤を収める皿状の凹部を設けているだけなので、薬剤を塗布する部位に塗り広げる機能に欠ける課題があった。また、単に大きく開口する皿状の凹部に薬剤を収めた場合には、裸の状態ならば薬剤の塗布が可能であっても、着衣した状態では背中と衣服との間に挿入するまでに衣服や不要な部位に薬剤を付着させてしまう恐れがある。
【０００９】
本発明が目的とするところは、手の届かない部位を掻く機能、肩を叩く機能、手の届かない部位に薬剤を塗布する機能などそれぞれの機能を最適に構成し、使いやすく構成した多機能掻痒解消具を提供することにある。
【課題を解決するための手段】
【００１０】
上記目的を達成するため、請求項１に記載の発明は、所要長さの棒状体の一端に、略球状体の一方を棒状体軸心と略平行する略平坦面に切り落とした面に多数の突起を形成した掻痒部と、上記略球状体の他方を棒状体軸心と略平行する略平坦面に切り落とした面に浅いリング状の凹部又は複数の凹部を設けて滑らかな凹凸を形成した薬剤塗布部とを設けるとともに、上記棒状体の他端に、一端が略半球状で他端が略平面状である円柱体を着脱自在に取り付けることを特徴とする多機能掻痒解消具を提供する。
【００１１】
この発明によれば、上記掻痒部は手の届かない背中などを掻く孫の手としての用に供することができ、薬剤塗布部はリング状の凹部又は複数の凹部を設けているので、凹部の開口幅を小さくしても所要量の薬剤を収めることができ、開口幅の小さい凹部は衣服の間から背中などに挿入する際に薬剤が衣服や不要な部位に付着することを抑えることができ、必要な部位に運ばれた薬剤塗布部を肌に押し付けると薬剤が肌に付着し、滑らかな凹凸形状によって薬剤を塗り広げることができる。
【００１２】
又、上記棒状体の他端には、一端が略半球状で他端が略平面状である円柱体を着脱自在に取り付けられるようになっているので、肩叩きのときは円柱体の略半球状部を利用するのが好都合である。
【００１３】
請求項２に記載の発明は、上記請求項１に記載の発明の円柱体の取り付け構造に関するもので、上記棒状体の他端を、上記円柱体の胴部に設けられた嵌合凹部に嵌合せしめるとともに、上記円柱体の胴部を上記棒状体の他端部に固着したベルトにより抱持することにより該円柱体を該棒状体に着脱自在に取り付けるようにしたものである。
【００１４】
このような構成とすることにより、円柱体の着脱を容易にして、かつ同円柱体装着時には棒状体に一体的に強固に固定することができ、肩叩き時にも安全に使うことができる。
【００１５】
請求項３に記載の発明は、請求項１又は２に記載の発明において、上記円柱体の略平面状である部分に薬剤等を付着又は浸透させた綿布を着脱自在にリング体にて装着することを特徴とするもので、特に液体薬（ローション等も含む）の塗布時に好適である。
【００１６】
請求項４に記載の発明は、所要長さの棒状体の一端を、一端が略半球状で他端が略平面状である円柱体を該円柱体の胴部に設けられた嵌合凹部に嵌合せしめ、上記円柱体の胴部を上記棒状体に固着したベルトにより抱持することにより該円柱体を該棒状体に着脱自在に取り付けるとともに、上記円柱体の略平面状である部分に薬剤等を付着又は浸透させた綿布を着脱自在にリング体にて装着することを特徴とする多機能掻痒解消具を提供する。
【００１７】
この発明は、肩叩き機能を有する略半球状体と薬剤等を塗る機能を有する略平面状体とを備える円柱体を棒状体の一端に着脱自在に取り付ける極めて簡便かつ確実な構成を提供する。
【００１８】
請求項５に記載の発明は、請求項２又は４に記載の発明において、上記ベルトの上記棒状体への固着を上記棒状体端部の空隙部に挿嵌した押え板にビス止めすることにより為したことを特徴とするもので、ベルトの棒状体への固着を簡便にして、しかも強固に行うことができ、又ベルトの取り替えも簡単に行うことができる。
【００１９】
請求項６に記載の発明は、請求項２、４又は５に記載の発明において、ベルトをフック状とパイル状との２枚を噛み合せる布製のテープ（いわゆるマジックテープ（登録商標））とするものである。
【発明の効果】
【００２０】
本発明に係る多機能掻痒解消具は、手の届かない部位を掻く機能、肩を叩く機能、手の届かない部位に薬剤を塗布する機能などそれぞれの機能を最適に選択構成しうるものである。
【発明を実施するための最良の形態】
【００２１】
図１〜図５は、いずれも本発明の一実施例における多機能掻痒解消具を示すもので、図１は一方向よりみた斜視図、図２は他方向よりみた斜視図、図３は棒状体の端部と同端部に取り付けられる円柱体及び付属品の分解斜視図、図４は棒状体の端部に円柱体及び付属品の取り付けを完了した状態の一部切欠正面図、図５は同取り付け完了時の要部断面図である。
【００２２】
本実施例は図１、図２に示すように、所要長さの棒状体１の一端１ａに、略球状体の一方を棒状体軸心と略平行する略平坦面に切り落とした面に多数の突起２を形成した掻痒部３と、上記略球状体の他方を棒状体軸心と略平行する略平坦面に切り落とした面に浅いリング状の凹部４を設けて滑らかな凹凸を形成した薬剤塗布部５とを設けるとともに、上記棒状体の他端１ｂに、一端が略半球状、他端が略平面状である円柱体６を装着したことを特徴とする多機能掻痒解消具である。
【００２３】
上記において、リング状の凹部４は図示していないが複数の凹部としても良い。又、円柱体６の棒状体への取り付けは着脱自在であることを要するが、望ましい実施例としては、図１〜図５に示すごとく、棒状体１の他端１ｂを、円柱体６の胴部に設けられた嵌合凹部７に嵌合せしめるとともに、上記円柱体６の胴部を棒状体１の他端部１ｂに固着したベルト８により抱持する。ベルト８はいわゆるマジックテープが好適である。
【００２４】
更に又、円柱体６の略平面状である部分９には塗り薬を塗布又は液体薬（ローション等も含む）を浸透させた綿布１０を着脱自在にリング体１１にて装着するのが、薬剤塗布部５が適切に使えない液体薬などの場合に好適である。尚、１２は円柱体６周縁の一部（図示例では２箇所）に一体的に設けられた隆起部であり、図４等に示すごとく綿布１０を装着したときのリング体１１のストッパの役目をしており、綿布１０を装着しないときはリング体１１を円柱体６に一時的に固定する役目もしている。
【００２５】
更に、ベルト８は棒状体１の端部に固着するのが望ましく、その固着方法の好適例は、図３、図５に示すごとくである。即ち、図３、図５において、棒状体の端部には空隙部１３が設けられ、この空隙部１３に押え板１４を挿嵌したのち、ビス１５を棒状体先端部凹部１６より挿入しベルト８を中に挟んで押え板１５にビス止めする。尚、棒状体、円柱体等の材料については、合成樹脂が、製造の容易性、コスト等の点で有利である。
【産業上の利用可能性】
【００２６】
高齢化や高齢者の一人暮らしの増加などが進む社会環境にあっては、高齢者や疾病を持つ人であっても身の回りの所用は自分でしなければならない状況にある。また、痒いところを自らが処置する孫の手の利用者は高齢者に多く、皮膚掻痒症が圧倒的に多いのも高齢者である。肩凝りなど凝った部位を叩いたりマッサージする、痒い部位を掻く、手の届かない部位に薬剤を塗る動作を高齢者でも容易に行うことができる用具が必要とされる所以である。これら必要とされる複数の機能を本発明に係る多機能掻痒解消具は１つの用具で
使い分けることができるので、身辺に常備しておくと極めて重宝であり、本発明に係る多機能掻痒解消具は大量生産が容易であり、大量生産により安価に製造することができるので、その普及により多くの人に利便を提供することができる。
【図面の簡単な説明】
【００２７】
【図１】本発明の一実施例における多機能掻痒解消具の一方向よりみた斜視図である。
【図２】同上実施例における多機能掻痒解消具の他方向よりみた斜視図である。
【図３】同上実施例の棒状体の端部と同端部に取り付けられる円柱体及び付属品の分解斜視図である。
【図４】同上実施例の棒状体の端部に円柱体及び付属品の取り付けを完了した状態の一部切欠正面図である。
【図５】同上実施例の棒状体の端部に円柱体及び付属品の取り付けを完了した状態の要部断面図である。
【符号の説明】
【００２８】
１  棒状体
２  突起
３  掻痒部
４  リング状の凹部
５  薬剤塗布部
６  円柱体
７  嵌合凹部
８  ベルト
９  略平面状である部分
１０  綿布
１１  リング体
１２  隆起部
１３  空隙部
１４  押え板
１５  ビス
【図１】
2006101989.tif 000003
【図２】
2006101989.tif 000004
【図３】
2006101989.tif 000005
【図４】
2006101989.tif 000006
【図５】
2006101989.tif 000007